(57)【要約】  本発明のシガレットボックス（CB）は、箱ボディ（10）にヒンジ（11）を介して接続される蓋（20）を有し、インナーフレーム（30）を介して内包材（16）でシガレット束を包み込んでなるインナーパック（PC）を収容しているもので、上記内包材（16）は、シガレット束の前後をそれぞれ覆う前後面（16-1、16-2）と、シガレット束の下端面を覆う一重の底面（16-3）と、シガレット束の上端面を開放可能に閉鎖する閉鎖面（16-4）とを有し、上記蓋（20）の開閉に伴って往復動する第１操作子（16a）を含み、この操作子の往動に伴い、後面（16-2）を引き上げることで、シガレット束とともに底面（16-3）を斜めにリフトアップさせる引き上げ機構とを具備し、この引き上げ機構は、前壁と底壁との境界線（BL-1）の近傍にて、内包材の一部を前記箱ボディ（10）に固定する線状の固定部（FP-1）と、操作子の往動と内包材の後面（16-2）の引き上げとを連動させる連動手段（31）を備える。
2013076863.tif 000002
【特許請求の範囲】
【請求項１】
開口した上端、並びに前壁、背壁、一対の側壁および底壁を備える箱ボディと、該箱ボディにヒンジを介して接続され、前記箱ボディの前記上端を開閉する蓋と、内部にインナーフレームを介して収容され、内包材でシガレット束を包み込んでなるインナーパックとを有し、前記インナーフレームが前記前壁側に位置し且つ前記上端から突出しているシガレットボックスであって、
前記内包材は、前記シガレット束の前後をそれぞれ覆う前面及び後面と、シガレット束の下端面を覆う一重の底面と、その折り込みによって形成され、シガレット束の上端面を開放可能に閉鎖する閉鎖面とを有し、
前記蓋の開閉に伴って往復動する第１操作子又は前記箱ボディに対して昇降方向に往復動可能な前記内包材とは別体の第２操作子を含み、該操作子の往動に伴い、前記前面及び前記後面の一方の面を引き上げることで、前記シガレット束とともに前記底面を斜めにリフトアップさせる引き上げ機構とを具備し、
前記引き上げ機構は、
前記前壁と前記底壁との境界線の近傍、または、前記背壁と前記底壁との境界線の近傍にて、前記内包材の一部を前記箱ボディに固定する線状の固定部と、
前記操作子の往動と前記内包材の前面又は後面の引き上げとを連動させる連動手段と
を更に含む、
ことを特徴とするシガレットボックス。
【請求項２】
前記引上げ機構は、
前記前壁と前記底壁との境界線近傍に位置付けられた前記固定部と、
前記閉鎖面の一部を形成し且つ前記蓋の内面に結合された折り込みフラップを前記第１操作子として含み、
前記連動手段は、前記インナーパックの前記後面側にて前記箱ボディの前記上端から上方に突出して設けられ、前記蓋の開作動に伴い、前記折り込みフラップを介して前記内包材の後面を引き上げて、前記箱ボディから引き出される際に、その上縁にて前記内包材の前記後面を折り返す、折り返しタッカを含む、
ことを特徴とする請求項１に記載のシガレットボックス。
【請求項３】
前記折り返しタッカにおける前記上縁の高さ位置は、前記底面のリフトアップ量に応じて決定してある、ことを特徴とする請求項２に記載のシガレットボックス。
【請求項４】
前記折り返しタッカは、前記インナーフレームと協働してインナーパックの外周を囲む環形状のインナスリーブを形成する、ことを特徴とする請求項３に記載のシガレットボックス。
【請求項５】
前記引上げ機構は、
前記背壁と前記底壁との境界線近傍に位置付けられた前記固定部と、
前記箱ボディに対して昇降方向にスライド可能な前記インナーフレームを前記第２操作子として含み、
前記連動手段は、
前記前壁に形成され、前記インナーフレームにスライド力を付与すべく前記インナーフレームを露出させるアクセス開口と、
前記インナーフレームと前記内包材の前記前面とを互い結合し、前記インナーフレームの押し上げに伴い前記前面の引き上げをもたらす結合部とを含む、
ことを特徴とする請求項１に記載のシガレットボックス。
【請求項６】
前記インナーフレームは前記前壁および前記一対の側壁の内面に沿って摺動する横断面Ｕ字形状に形成されており、
前記蓋が閉位置にある状態での、前記インナーフレームの押上げ動作は、前記前面の引き上げに加えて、前記蓋の開動作を更に連動させる、ことを特徴とする請求項５に記載のシガレットボックス。
【請求項７】
前記箱ボディは、
ボディインナーであって、前記インナーフレームと協働して前記インナーパックを胴回りに囲繞する一方、前記インナーパックの前記内包材に前記インナーフレームを介して結合され、前記上端及び開口した下端を有するボディロアと、前記上端に前記ヒンジを介して接続された前記蓋とを有する、ボディインナーと、
前記蓋を露出させた状態で前記ボディロアを収容し、前記前壁、前記背壁、前記一対の側壁及び前記底壁を有したボディアウターであって、前記底壁に前記内包材の前記底面が位置した下降位置と前記底壁から前記底面が離れた上昇位置との間にて前記ボディインナーの昇降を許容し、前記ボディインナーが前記下降位置にあり且つ前記蓋が閉じた状態にあるとき、前記蓋の背面と対向する立上部を更に有する、ボディアウターと
を含み、
前記引き上げ機構は、
前記背壁と前記底壁との境界線近傍に位置付けられた前記固定部と、
前記第２操作子及び前記連動手段を兼用する前記ボディインナーとを少なくとも含む、
ことを特徴とする請求項１に記載のシガレットボックス。
【請求項８】
前記引き上げ機構は、前記立上部に形成され、前記ボディインナーの昇降のために前記蓋の背面を露出させるアクセス開口を更に含む、
ことを特徴とする請求項７に記載のシガレットボックス。
【請求項９】
前記立上部の立上高さは、前記底面のリフトアップ量に応じて決定してある、ことを特徴とする請求項７又は８に記載のシガレットボックス。
【発明の詳細な説明】
【技術分野】
【０００１】
本発明は、シガレットボックスに関する。より詳細には、内部に収容してあるシガレット（紙巻たばこ）を取り出し易くするため、シガレット列を段状にリフトアップさせる構造を備えるシガレットボックスに関する。
【背景技術】
【０００２】
このようなシガレットボックスは、箱ボディ（箱本体部）の上縁に設けたヒンジを介して蓋が設けてある。よって、シガレットを取り出すときには、この蓋を開けて中から１本を取り出す。ところが、シガレットが一杯に詰まっている状態、特に開封した直後の状態では、その中から一本を取り出すことが困難である。これを無理に取り出そうとすると、吸口部（フィルタ）を潰してしまったり、取り出そうとした1本の周りにあるシガレットのフィルタに不必要に触れてしまったりするなどの不都合を生じる。【０００３】
上記のように、詰まった状態のシガレットボックスから１本のシガレットを取り出すことに関しては、例えば特許文献１による提案があった。この特許文献１はシガレットを引上げる構造を開示している。この構造は、シガレットを包む包装材の一部を箱本体部の底壁に接着しておき、一端に形成してある「つまみタブ（４２）」をつまんで引っ張る。これにより、接着しなかった部分を引上げること（底上げすること）で、前列側のシガレットを、他のシガレットより相対的に押し上げることで取り出し易くしている。
【先行技術文献】
【特許文献】
【０００４】
【特許文献１】ＪＰ  Ｈ０２−１９２４５号公報
【発明の開示】
【発明が解決しようとする課題】
【０００５】
しかしながら、特許文献１によるシガレットボックスは、蓋を開けたときにはそれ以前のシガレットボックスと同様に、シガレットが平面状に詰まった状態のままである。蓋を開けた後、上記で説明したように「つまみタブ」を引っ張ると一部のシガレットが上げられるものである。
このように特許文献１によるシガレットボックスでは、蓋を開けた後、更につまみタブを引っ張るという２段階の動作が必要である。また、包装材は薄い紙材であるので許容された力以上で引っ張ると破損することが予想され、これとは逆に引っ張る力が弱すぎるとシガレットのリフトアップ量が小さい、或いは、シガレットが元にもどってしまうなどの不都合も予想される。【０００６】
本発明は前述したような状況を鑑みてなされたもので、その目的は、ユーザが蓋を開けるという動作をするだけで、蓋が開いたときには内部のシガレットの列が段状にリフトアップされた状態にあり、１本のシガレットを容易に取り出せるシガレットボックスを提供することである。
【課題を解決するための手段】
【０００７】
上述の目的は本発明のシガレットボックスによって達成され、このシガレットボックスは、開口した上端、並びに前壁、背壁、一対の側壁および底壁を備える箱ボディと、該箱ボディにヒンジを介して接続され、前記箱ボディの前記上端を開閉する蓋と、内部にインナーフレームを介して収容され、内包材でシガレット束を包み込んでなるインナーパックとを有し、前記インナーフレームが前記前壁側に位置し且つ前記上端から突出しているシガレットボックスであって、
前記内包材は、前記シガレット束の前後をそれぞれ覆う前面及び後面と、シガレット束の下端面を覆う一重の底面と、その折り込みによって形成され、シガレット束の上端面を開放可能に閉鎖する閉鎖面とを有し、
前記蓋の開閉に伴って往復動する第１操作子又は前記箱ボディに対して昇降方向に往復動可能な前記内包材とは別体の第２操作子を含み、該操作子の往動に伴い、前記前面及び前記後面の一方の面を引き上げることで、前記シガレット束とともに前記底面を斜めにリフトアップさせる引き上げ機構とを具備し、
前記引き上げ機構は、前記前壁と前記底壁との境界線の近傍、または、前記背壁と前記底壁との境界線の近傍にて、前記内包材の一部を前記箱ボディに固定する線状の固定部と、前記操作子の往動と前記内包材の前面又は後面の引き上げとを連動させる連動手段とを更に含むことを特徴とする。【０００８】
そして、第１の形態として、
前記引上げ機構は、前記前壁と前記底壁との境界線近傍に位置付けられた前記固定部と、前記閉鎖面の一部を形成し且つ前記蓋の内面に結合された折り込みフラップを前記第１操作子として含み、前記連動手段は、前記インナーパックの前記後面側にて前記箱ボディの前記上端から上方に突出して設けられ、前記蓋の開作動に伴い、前記折り込みフラップを介して前記内包材の後面を引き上げて、前記箱ボディから引き出される際に、その上縁にて前記内包材の前記後面を折り返す、折り返しタッカを含むものにできる。【０００９】
そして、前記折り返しタッカにおける前記上縁の高さ位置は、前記底面のリフトアップ量に応じて決定することができる。
また、前記折り返しタッカは、前記インナーフレームと協働してインナーパックの外周を囲む環形状のインナスリーブを形成するのがより好ましい。【００１０】
また、第２の形態として、
前記引上げ機構は、前記背壁と前記底壁との境界線近傍に位置付けられた前記固定部と、前記箱ボディに対して昇降方向にスライド可能な前記インナーフレームを前記第２操作子として含み、前記連動手段は、前記前壁に形成され、前記インナーフレームにスライド力を付与すべく前記インナーフレームを露出させるアクセス開口と、前記インナーフレームと前記内包材の前記前面とを互い結合し、前記インナーフレームの押し上げに伴い前記前面の引き上げをもたらす結合部とを含むものにできる。【００１１】
そして、前記インナーフレームは前記前壁および前記一対の側壁の内面に沿って摺動する横断面Ｕ字形状に形成されており、
前記蓋が閉位置にある状態での、前記インナーフレームの押上げ動作は、前記前面の引き上げに加えて、前記蓋の開動作を更に連動させるのがより好ましい。【００１２】
また、第３の形態として、
前記箱ボディは、
ボディインナーであって、前記インナーフレームと協働して前記インナーパックを胴回りに囲繞する一方、前記インナーパックの前記内包材に前記インナーフレームを介して結合され、前記上端及び開口した下端を有するボディロアと、前記上端に前記ヒンジを介して接続された前記蓋とを有する、ボディインナーと、
前記蓋を露出させた状態で前記ボディロアを収容し、前記前壁、前記背壁、前記一対の側壁及び前記底壁を有したボディアウターであって、前記底壁に前記内包材の前記底面が位置した下降位置と前記底壁から前記底面が離れた上昇位置との間にて前記ボディインナーの昇降を許容し、前記ボディインナーが前記下降位置にあり且つ前記蓋が閉じた状態にあるとき、前記蓋の背面と対向する立上部を更に有する、ボディアウターとを含み、
前記引き上げ機構は、
前記背壁と前記底壁との境界線近傍に位置付けられた前記固定部と、
前記第２操作子及び前記連動手段を兼用する前記ボディインナーとを少なくとも含む、ものにできる。【００１３】
また、前記引き上げ機構は、前記立上部に形成され、前記ボディインナーの昇降のために前記蓋の背面を露出させるアクセス開口を更に含んでいる構造とするのがより好ましい。
そして、前記立上部の立上高さは、前記底面のリフトアップ量に応じて決定することができる。
【発明の効果】
【００１４】
本発明のシガレットボックスでは、ユーザが箱ボディの上部にある蓋を開く（開ける）という通常の操作をするだけで、蓋が開いたときにはシガレットが段状に配置された状態となる。すなわち、ユーザは詰ったシガレットから１本を引き抜くことの面倒それ自体に配慮する必要がなく、蓋を開けるという動作をするだけで、詰まった状態にあるシガレットを段状に配置でき、１本のシガレットを簡易に取り出すことができる。
【図面の簡単な説明】
【００１５】
【図１】本発明の第１の実施形態に係るシガレットボックスについて示し、蓋が閉じているときの状態を示す側面図である。
【図２】本発明の第１の実施形態に係るシガレットボックスについて示し、蓋を開けたときの状態を示す側面図である。
【図３】図２に示すシガレットボックスの蓋を開いた時の様子を示した外観斜視図である。
【図４】本発明の第２の実施形態に係るシガレットボックスについて示し、蓋が閉じているときの状態を示す側面図である。
【図５】本発明の第２の実施形態に係るシガレットボックスについて示し、蓋を開けたときの状態を示す側面図である。
【図６】シガレットボックスの図４に対応する様子を示した外観斜視図である。
【図７】シガレットボックスの図５に対応する様子を示した外観斜視図である。
【図８】本発明の第３の実施形態に係るシガレットボックスについて示し、蓋が閉じているときの状態を示す側面図である。
【図９】本発明の第３の実施形態に係るシガレットボックスについて示し、蓋を開けたときの状態を示す側面図である。
【図１０】第３の実施形態に係るシガレットボックスに含まれる、ボディアウター、ボディインナー、インナーフレームそれぞれの形状、関係を説明するための斜視図である。
【図１１】シガレットボックスの図８に対応する様子を前面側から示した外観斜視図である。
【図１２】シガレットボックスの図８に対応する様子を背面側から示した外観斜視図である。
【図１３】シガレットボックスの図９に対応する様子を前面側から示した外観斜視図である。
【図１４】シガレットボックスの図９に対応する様子を背面側から示した外観斜視図である。
【図１５】本発明のシガレットボックスに採用するのが好ましい内包材のブランクを示した図である。
【発明を実施するための形態】
【００１６】
以下、図を参照して本発明に係る実施形態となるシガレットを説明する。
図１、図２は、第１の実施形態に係るシガレットボックスＣＢ−１について示し、図１は蓋が閉じているときの状態を示す側面図、図２は蓋を開けたときの状態を示す側面図である。
【００１７】
図１、図２で、シガレットボックスＣＢ−１は、箱ボディ１０とその上端（一辺）に設けたヒンジ１１を介して回動可能に設けた蓋２０を有している。より詳細には、シガレットボックスＣＢ−１は、前壁１２、背壁１３、これらの間で左右に位置する左右側壁１４Ｒ、１４Ｌ（図１、図２では内部のシガレットＣＲが確認できるようにするため、図示していない）により周壁が形成され、その下の底部側は底壁１５によって閉じられている。そして、上方側は開口しており、背壁１３の上端がヒンジ１１となって、蓋２０が箱ボディ１０の上縁で開閉する。
【００１８】
このシガレットボックスＣＢ−１には、箱ボディ１０内に収納している複数のシガレットＣＲをリフトアップさせる仕組みが設けてある。この仕組みを実現するための構成を以下で順に説明する。
まず、シガレットＣＲの束の全体がシート状の内包材１６で包込まれてインナーパックＰＣを形成している。ここでの内包材１６は従来において、シガレットを包んでいる材料と同様のものでよく、例えば紙と金属箔を積層したシート材などを好適に用いることができる。
ただし、このシガレットボックスＣＢ−１内に採用される内包材１６は、前壁１２、底壁１５、そして前記背壁１３それぞれの内面に沿っては切れ目の無い、連続形態で配置してある。より詳細には、内包材１６は、シガレット束の前後をそれぞれ覆う前後面１６−１、１６−２と、シガレット束の下端面を覆う一重の底面１６−３を有している。そして、その上部は、折り込みによって形成されて、シガレット束の上端面を開放可能に閉鎖する閉鎖面（内包材の端部を折り込んで閉じた面）１６−４となっている。
【００１９】
ちなみに、本シガレットボックスＣＢ−１は、開封した直後でシガレットＣＲが一杯に詰まった状態のときに、１本のシガレットＣＲを容易に引抜くための構成を設けたことを特徴としている。そのため図１はシガレットＣＲが詰まった状態での側面を示している。
よって、側面から見て、内包材１６は詰まった状態のシガレットＣＲの束の外側に沿ってＵ字状に配置される。そして、内包材１６の端部は上記のように折り込みできるように長めに設定してあり、シガレットボックスＣＢ−１の開封前ではシガレットＣＲの口付部（ここでは、フィルタＦＬ）を、内包材１６の端部を折り込んだフラップ（先端側フラップ部１６ａと終端側フラップ部１６ｂ）により包み込んだ状態として、前述した閉鎖面１６−４が形成されている。
【００２０】
なお、内包材１６の幅方向（図１で紙面に垂直方向）での両側部分はシガレットＣＲの束よりも、幅広く形成してあり、その余分な長さを折代として折り畳むことでシガレットＣＲの束を側部からも包込んでおり、結局、シガレットＣＲ全体を内包材１６で覆う状態が形成される。
また、図１、図２のシガレットボックスＣＢ−１は、例えば２０本のシガレットＣＲを収納している場合、前壁に沿った一列目がＲＷ−１に７本で、前記背壁に向って２列目ＲＷ−２に６本、そして３列目ＲＷ−３が７本というように、複数列に配置されている。
【００２１】
そして、底壁１５と面している内包材１６の一部が、前壁１２と底壁１５との境界線ＢＬ−１の近傍にて、前記底壁１５に固定されている。より具体的には、内包材１６の一部が境界線ＢＬ−１に沿って底壁１５上に線状に固定され、固定部ＦＰ−１となっている。この固定部ＦＰ−１は、箱ボディ１０の組立てに用いる接着剤などを用いて、内包材１６の一部が底壁１５に接着固定するものでよい。
このような固定部ＦＰ−１を設け、この固定部ＦＰ−１と反対側にある前記背壁１３に沿って内包材１６を引き上げると、底壁１５と対面していた内包材１６の底面１６−３が、固定部ＦＰ−１を基点（中心）にして右上に向かって傾斜した状態になる。
【００２２】
上記のように、固定部ＦＰ−１は境界線ＢＬ−１に沿って線状（実線状、点線状のどちらでもよい）に配置されている。これにより、図２で示すようにシガレットＣＲを列毎に、段状にリフトアップさせる状態を形成できる。ここでは、固定部ＦＰ−１の線幅を無用に広く（例えば、シガレットＣＲの半径を超えるような幅に）設定するのは好ましくない。固定部ＦＰ−１の幅が広すぎると、傾斜する内包材１６の領域が減少して列毎に段状にリフトアップさせるのが困難になる。この点から、固定部ＦＰ−１の線幅は２〜６ｍｍ程度、或いは、収納するシガレットＣＲの直径の７５％以下とするのが好ましい。
【００２３】
また、このシガレットボックスＣＢ−１では、箱ボディ１０の内側に取付けられ、内包材１６よりも高い剛性を有して、箱ボディ１０を内側から補強する後述するインナーフレーム３０が配備してある。
【００２４】
更に、上記内包材１６を引き上げる引上げ機構について説明する。この引上げ機構は、蓋２０が開かれたときに、シガレットボックスＣＢ−１の中心軸線（上下方向に延在する軸線）に対して固定部ＦＰ−１と反対側にある前記背壁１３に沿って内包材１６を引き上げる。これにより、前述したように底壁１５に接していた底面１６−３の内包材１６が固定部ＦＰ−１を基点に、傾斜して図２のようになるので、シガレット列ＲＷ−１、ＲＷ−２、ＲＷ−３毎に段状にリフトアップできる。
【００２５】
そして、図１、２で例示している引き上げ機構は、前記内包材１６の一方の端部が背壁１３から蓋２０まで延在されて、その先端部（終端側フラップ部１６ｂ）は蓋２０の内面２０ａに接着部２１で固定（結合）されている。この終端側フラップ部１６ｂは、蓋２０の開閉に伴って往復動する第１操作子（請求項１）として機能する。よって、蓋２０が閉じて、前述したようにＵ字状に配置された内包材１６が撓み無い状態（図１）を初期状態として、図２のように蓋２０が開かれると、内包材１６が蓋２０の開く動作に基づいて内包材１６が引っ張られる。すなわち、蓋２０を開く動作が内包材１６を引っ張り上げる動作に連動する。その結果、底壁１５に接していた内包材１６が固定部ＦＰ−１を基点に傾斜するので、シガレット列毎に段状にリフトアップできる。更に、図３も参照して、シガレットボックスＣＢ−１が有する引き上げ機構をより詳細に説明する。
【００２６】
図３は、シガレットボックスＣＢ−１を開封し、最初に蓋２０を開いた時の様子を示した外観斜視図である。このシガレットボックスＣＢ−１は、蓋２０の開き動作に連動する引き上げ機構を備えている。よって、ユーザは、蓋２０を開けるという従来の動作をするだけよく、詰まったシガレットを取り出すために追加の動作をする必要がない。また、内包材１６の移動量は蓋２０の開度に基づくので、内包材１６の引っ張り状態は変化せず安定である。そして、一旦、開けた蓋２０は、通常、強制的に閉じなければ開いた状態が維持される。よって、図３で示すように、シガレットも列毎に段状にリフトアップされた状態が維持されるので、ゆっくりと１本のシガレットを取り出せばよい。
【００２７】
特に、図２および図３で示すように、インナーフレーム３０がシガレットボックスＣＢ−１の前壁１２側に位置し、且つその上端から突出するように固定されている。
一方、このシガレットボックスＣＢ−１では、背壁１３とシガレットＣＲの束との間に、板状の折り返しタッカ３１が配置されている。この折り返しタッカ３１は、前記インナーパックＰＣの後面側にて箱ボディ１０の上端から上方に突出して設けられている。前述したように、内包材１６の一方の終端となる終端フラップ部１６ｂは、蓋２０の内面２０ａに結合されるが、箱ボディ１０から引き出される際に、折り返しタッカ３１の上縁３１ａにて前記後面１６−２が折り返される。すなわち、内包材１６の後面１６−２は、引き上げられる際に、折り返しタッカ３１の上端３１ａに接触して折り返されて、その引き上げ量を増加させるように改善した構造（連動手段）としてある。このような構成を採用すると、蓋２０の開き動作で内包材を確実に引上げることができる。
このように折り返しタッカ３１の上縁３１ａに接する構造にしておくと、この上縁３１ａの高さ位置に基づきガレットＣＲ列のリフトアップ量（すわわち、固定部での傾斜角度α）を適宜に調整できる。
なお、上記シガレットボックスＣＢ−１を製造するためのアウターブランクに変更を加えて、箱ボディ１０および蓋２０、そして上記折り返しタッカ３１についても一枚のアウターブランクから形成するようにしてもよい。
【００２８】
ところで、従来におけるインナーフレームはボックス補強用で、一般に前壁および左右両壁の内面を支持するような横断面形状（上面視形状）がＵ字形状であった。一方、この第１の実施形態に係るシガレットボックスＣＢ−１では、上記した折り返しタッカ３１は、インナーパックＰＣの後面側にて背壁１３から突出するように配置してあるのが好ましい。
そこで、シガレットボックスＣＲ−１では、より好適な構造として、通常のインナーフレーム構造の後側（背部）に、折り返しタッカとして機能する構造体を一体に接続して、互いに協働してインナーパックＰＣの外周を囲むような環形状（ロ字形状）にして、新規なインナーフレームとしてある。すなわち、ここで例示しているインナーフレーム３０は、折り返しタッカ３１を背部の備える環形状のインナスリーブとなっている。これにより、シガレットボックスＣＲ−１の補強をより強化しつつ、背壁１３に付加した折り返しタッカ３１の高さを調整してリフトアップ量を適宜に調整できる。すなわち、折り返しタッカ３１における上縁の高さ位置は、内包材の底面のリフトアップ量に応じて決定すればよい。
【００２９】
以上説明した、第１の形態に係るシガレットＣＢ−１は、ユーザは詰ったシガレットから１本を引き抜くことの面倒、それ自体に配慮をする必要がなく、蓋を開けるという通常の動作をするだけで、詰まった状態にあるシガレットが段状に配置されるので１本のシガレットを面倒がなく、いつも簡易に取ることができる。
【００３０】
更に、図を参照して本発明に係る第２の実施形態に係るシガレットボックスＣＢ−２について説明する。
図４、図５は、第２の実施形態に係るシガレットボックスＣＢ−２について示した図であり、図４は蓋が閉じているときの状態を示す側面図、図５は蓋を開けたときの状態を示す側面図である。
【００３１】
図４、図５で、シガレットボックスＣＢ−２は、箱ボディ４０とその上端（一辺）に設けたヒンジ４１を介して回動可能に設けた蓋５０を有している。より詳細には、シガレットボックスＣＢ−２は、前壁４２、背壁４３、これらの間で左右に位置する左右側壁４４Ｒ、４４Ｌ（図４、図５では内部のシガレットＣＲが確認できるようにするため、図示していない）により周壁が形成され、その下の底部側は底壁４５によって閉じられている。そして、上方側は開口しており、背壁４３の上端がヒンジ４１となって、蓋５０が箱ボディ４０の上縁で開閉する。
【００３２】
このシガレットボックスＣＢ−２にも、箱ボディ４０内に収納している複数のシガレットＣＲをリフトアップさせる仕組みが設けてある。この仕組みを実現するための構成を以下で順に説明する。
まず、シガレットＣＲの束の全体がシート状の内包材４６で包込まれてインナーパックＰＣを形成している。ここでの内包材４６は従来において、シガレットを包んでいる材料と同様のものでよく、例えば紙と金属箔を積層したシート材などを好適に用いることができる。
ただし、このシガレットボックスＣＢ−２内に採用される内包材４６は、前壁４２、底壁４５、そして前記背壁４３それぞれの内面に沿っては切れ目の無い、連続形態で配置してある。より詳細には、内包材４６は、シガレット束の前後をそれぞれ覆う前後面４６−１、４６−２と、シガレット束の下端面を覆う一重の底面４６−３を有している。そして、その上部は、折り込みによって形成されて、シガレット束の上端面を開放可能に閉鎖する閉鎖面（内包材の端部を折り込んで閉じた面）４６−４となっている。
【００３３】
ちなみに、本シガレットボックスＣＢ−２は、開封した直後でシガレットＣＲが一杯に詰まった状態のときに、１本のシガレットＣＲを容易に引抜くための構成を設けたことを特徴としている。そのため図４はシガレットＣＲが詰まった状態での側面を示している。
よって、側面から見て、内包材４６は詰まった状態のシガレットＣＲの束の外側に沿ってＵ字状に配置される。そして、内包材４６の端部は上記のように折り込みできるように長めに設定してあり、シガレットボックスＣＢ−２の開封前ではシガレットＣＲの口付部（ここでは、フィルタＦＬ）を、内包材４６の端部を折り込んだフラップ（先端側フラップ部４６ａと終端側フラップ部４６ｂ）により包み込んだ状態として、前述した閉鎖面４６−４が形成されている。
【００３４】
なお、内包材４６の幅方向（図４で紙面に垂直方向）での両側部分はシガレットＣＲの束よりも、幅広く形成してあり、その余分な長さを折代として折り畳むことでシガレットＣＲの束を側部からも包込んでおり、結局、シガレットＣＲ全体を内包材４６で覆う状態が形成される。
また、図４、図５のシガレットボックスＣＢ−２は、例えば２０本のシガレットＣＲを収納している場合、前壁に沿った一列目がＲＷ−１に７本で、前記背壁に向って２列目ＲＷ−２に６本、そして３列目ＲＷ−３が７本というように、複数列に配置されている。
【００３５】
そして、底壁４５と面している内包材４６の一部が、背壁４３と底壁４５との境界線ＢＬ−２の近傍にて、前記底壁４５に固定されている。より具体的には、内包材４６の一部が境界線ＢＬ−２に沿って底壁４５上に線状に固定され、固定部ＦＰ−２となっている。この固定部ＦＰ−２は、箱ボディ４０の組立てに用いる接着剤などを用いて、内包材４６の一部が底壁４５に接着固定するものでよい。
このような固定部ＦＰ−２を設け、この固定部ＦＰ−２１と反対側にある前記前壁４２に沿って内包材４６を引き上げると、底壁４５と対面していた内包材４６の底面４６−３が、固定部ＦＰ−２を基点（中心）にして左上に向かって傾斜した状態になる。
【００３６】
上記のように、固定部ＦＰ−２は境界線ＢＬ−２に沿って線状（実線状、点線状のどちらでもよい）に配置されている。これにより、図５で示すようにシガレットＣＲを列毎に、段状にリフトアップさせる状態を形成できる。ここでは、固定部ＦＰ−２の線幅を無用に広く（例えば、シガレットＣＲの半径を超えるような幅に）設定するのは好ましくない。固定部ＦＰ−２の幅が広すぎると、傾斜する内包材４６の領域が減少して列毎に段状にリフトアップさせるのが困難になる。この点から、固定部ＦＰ−２の線幅は２〜６ｍｍ程度、或いは、収納するシガレットＣＲの直径の７５％以下とするのが好ましい。
【００３７】
そして、このシガレットボックスＣＢ−２では、箱ボディ４０の内側に、内包材４６よりも高い剛性を有して、箱ボディ４０を内側から補強しつつ、内包材４６の移動を案内する後述するインナーフレーム６０が配備してある。
【００３８】
更に、上記内包材４６を引き上げる引上げ機構について説明する。従来におけるインナーフレームが補強用として、一般に前壁および壁の内面を支持するような横断面形状（上面視で形状）がＵ字形状であったが、本シガレットボックスＣＢ−２では、このインナーフレームを流用する。
ここでの引上げ機構は、箱ボディ４０の内面に沿って昇降方向（図で上下方向）にスライド可能としたインナーフレーム６０を備える。このインナーフレーム６０は、第２操作子（請求項１）として機能する。
また、インナーフレーム６０と内包材４６の前面４６−１とを互い結合し、インナーフレーム６０の押し上げに伴い前面４６−１の引き上げをもたらす結合部として接着部６０ａが設けてある。すなわち、内包材４６の一部が前壁４２の内側で、接着部６０ａによりインナーフレーム６０に固定してある。よって、インナーフレーム６０を上方へ押上げるスライド動作が、内包材４６の引き上げる動作に連動している。
この引上げ機構は、インナーフレーム６０がスライドして押し上げられたときに、シガレットボックスＣＢ−２の中心軸線（上下方向に延在する軸線）に対して固定部ＦＰ−２と反対側にある前記前壁に沿って内包材４６を引き上げる。これにより、前述したように底壁４５に接していた底面４６−３の内包材４６が固定部ＦＰ−２を基点に、傾斜して図５のようになるので、シガレット列ＲＷ−１、ＲＷ−２、ＲＷ−３毎に段状にリフトアップできる。
【００３９】
更には、インナーフレーム６０は前壁４２および左右壁の内側を摺動する横断面Ｕ字形状のスライド部材として形成されているだけでなく、蓋５０が上端を閉じた状態（図４参照）で、その蓋５０の内面に当接する当接部６１が設けてある。そのため、このインナーフレーム６０を押し上げる動作をすると、蓋５０を跳ね上げつつ、内包材４６を引き上げる動作が一体的に実行される。すなわち、インナーフレーム６０を押上げる動作が、蓋５０を跳ね上げて内包材４６を引き上げる動作と連動している。
【００４０】
シガレットボックスＣＢ−２では、蓋５０が閉じて、前述したようにＵ字状に配置された内包材４６が撓み無い状態（図４）にある。ここで、インナーフレーム６０を上方へスライド操作して蓋５０を開けると、図５のように、これに伴って内包材４６が引っ張られる。すなわち、インナーフレーム６０を介して行う蓋５０を開く動作が、内包材４６を引っ張り上げる動作と一体となっている。その結果、蓋５０が開いたときには底壁４５に接していた内包材４６が固定部ＦＰ−２を基点に傾斜するので、シガレット列毎に段状にリフトアップできることになる。更に、図６、図７も参照して、シガレットボックスＣＢ−１が有する引き上げ機構をより詳細に説明する。
【００４１】
図６、図７は、シガレットボックスＣＢ−２の図４、図５にそれぞれ対応する様子を示した外観斜視図である。
この図６、図７では、図４、図５では示していないアクセス開口４７が示されている、ここでのアクセス開口４７は、箱ボディ４０の前壁４２に設けたＵ字状の切欠部として形成されている。アクセス開口４７内にはスライド可能なインナーフレーム６０が露出するので、図６で示す矢印のようにインナーフレーム６０にスライド力を付与して、上方へ移動させることができる。なお、このようなアクセス開口は、ユーザがインナーフレーム６０に指（例えば、親指）を接触させてスライド力を付与することができるように設けたものであるから、その形状は図６、図７で例示のように上端にまで達する切欠とする必要はない。すなわち、アクセス開口４７は、例えば円形、楕円形、長方形などの切欠部としてもよい。
このシガレットボックスＣＢ−２について示す第２の実施形態では、前述した結合部としての接着部６０ａおよび上記アクセス開口４７が、第２操作子となるインナーフレーム６０の往動と内包材４６の引き上げとを連動させる連動手段を構成している。
【００４２】
以上のような構成を備えるシガレットボックスＣＢ−２では、図６で示す蓋５０が閉位置にある状態から、ユーザが、インナーフレーム６０を矢印で示すように上方へ押し上げすると、図７で示すように蓋５０が開きシガレットが列毎に段状にリフトアップされた状態となる。なお、本シガレットボックスＣＢ−２では、前列ＲＷ−１が最も上昇するので、図７では後側のＲＷ−２、ＲＷ−３は図示されない（図５参照）。
上記のように、このシガレットボックスＣＢ−２に組み込まれた引上げ機構は、インナーフレーム６０による蓋５０を開く動作（蓋の開動作）で内包材４６を引き上げる動作が同時に実行される。
【００４３】
以上説明した、第２の形態に係るシガレットＣＢ−２によると、ユーザは、インナーフレーム６０を上に向けスライドさせて蓋５０を開けるという動作をするだけよく、一杯に詰まったシガレットを取り出すために追加で新たな動作をなす必要がない。また、一旦、上がったインナーフレーム６０は、強制的に戻さなければその位置に留まる。よって、図７で示すように、シガレットも列毎に段状にリフトアップされた状態が維持されるので、ゆっくりと１本のシガレットを取り出せばよい。
【００４４】
更に、図を参照して本発明に係る第３の実施形態に係るシガレットボックスＣＢ−３について説明する。
図８、図９は、第３の実施形態に係るシガレットボックスＣＢ−３について示した図であり、図８は蓋が閉じているときの状態を示す側面図、図９は蓋を開けたときの状態を示す側面図である。
【００４５】
図８、図９で、シガレットボックスＣＢ−３は、ボディアウター７０-１とボディインナー７０−２とにより分割構成されている。
より詳細には、シガレットボックスＣＢ−３のボディアウター７０-１は、前壁７２、背壁７３、これらの間で左右に位置する左右側壁７４Ｒ、７４Ｌ（図８、図９では内部のシガレットＣＲが確認できるようにするため、図示していない）により周壁が形成され、その下の底部側は底壁７５によって閉じられている。そして、このボディアウター７０-１に対し、上下方向へ相対移動（昇降）可能にボディインナー７０−２の一部が収容されている。よって、シガレットボックスＣＢ−３は、蓋８０を含むボディインナー７０−２がボディアウター７０-１に対して、上下方向に相対移動可能な構造となっている。
【００４６】
上記ボディインナー７０−２は、上記ボディアウター７０-１に収容される下側のボディロア８１と、その上に蓋８０を有している。ボディインナー７０−２は、上端及び開口した下端を有して、上端側にヒンジ７１を介して蓋８０が接続された構造である。
ボディインナー７０−２のボディロア８１は、後述するインナーフレームと協働してインナーパック（ＰＣ）を胴回りに囲繞するように配置される。そして、ボディロア８１はインナーパックの内包材にインナーフレームを介して結合されている。
【００４７】
上記ボディアウター７０-１、ボディインナー７０−２、及びインナーフレーム９０について、更に図１０を参照してより詳細に説明する。図１０は、ボディアウター７０-１、ボディインナー７０−２、そしてインナーフレーム９０それぞれの形状、これらの位置関係を確認し易いように示した斜視図である。なお、これらは、いずれも一枚のシート状のブランクを折り曲げて、組み上げることで作製可能なものである。
前述したように、ボディアウター７０-１は前壁７２、背壁７３、これらの間で左右に位置する左右側壁７４Ｒ、７４Ｌ、そして底壁７５を備えており、概ねの形態は上方が開放されている中空の箱体である。このボディアウター７０-１の背壁７３は、上端７３ｔｐにて延長部分７３ｅｘが折り返された構造である。この延長部分７３ｅｘは背壁７３の内面に沿うように（すなわち、ボディアウター７０-１の内側に延長部分７３ｅｘが収容されるように）して折り返されている。延長部分７３ｅｘの先端中央には外方（図１０で下方）へ突出する突起部７３ｐｒが設けてある。
【００４８】
次に、ボディインナー７０−２は、前述したように、ボディロア８１上にヒンジ７１を介しての蓋８０が設けてある。ボティロア８１は、ボディアウター７０-１内に上下移動可能に収容される。ボディアウター７０-１の背壁７３とボディロア８１を構成している背壁８２とは、互いに接触するようにして組付けがされる。
ここで、ボディロア８１の上記背壁８２の中央部には、長方形状の開口８３が設けてある。よって、突起部７３ｐｒが開口８３を介して前側に出るように、組付け時に設定しておくことで、開口８３の下側の開口縁８３ｂｅに延長部分７３ｅｘの下端７３ｂｅが当接して移動規制される。これにより、ボディインナー７０−２の上昇位置を規制する構造が実現される。
そして、ボディインナー７０−２の下降位置については、蓋８０の端縁８０ｅｄがボディアウター７０-１の上端縁７０−１ｅｄに当接することで規制される（図８参照）。
【００４９】
更に、上記ボディインナー７０−２は、その前側にインナーフレーム９０が接続されて両者が一体化された構造体（以下、接続構造体、と称する場合がある）とされてから、ボディアウター７０-１内に収容される。
より詳細には、インナーフレーム９０は前壁９１の左右に側壁９２Ｒ、９２Ｌを備えている。側壁９２Ｒ、９２Ｌそれぞれは、ボディインナー７０−２の左右側壁８４Ｒ、８４Ｌそれぞれの内側に接して配置され、互いの下端位置を揃えて接続される。よって、ボディインナー７０−２とインナーフレーム９０が接続され一体化された接続構造体は、その内側に一定の空間を囲繞する（擁する）ように周囲に壁を備えて、横断面の形状がロ字形状の筒状である構造部を含んだものとなる。よって、この接続構造体の下側は、開口した下端を有している形態となる。この開口した下端の位置を図８、図９では点線ＥＬにて示してある。
図１０に基づいて説明した、ボディアウター７０-１、ボディインナー７０−２およびインナーフレーム９０の関係を踏まえ、シガレットボックスＣＢ−３ついて、更に説明する。
【００５０】
ボディアウター７０-１は、図８に示すように蓋８０を露出させた状態でボディロア８１を収容し、底壁７５に内包材７６の底面７６−３が位置した下降位置、そして図９に示すように底壁７５から内包材７６の底面７６−６が離れた上昇位置との間での昇降を許容して、ボディインナー７０−２のボディロア８１を収容している。
そして、このボディインナー７０−２が前記下降位置にあり、且つ、蓋８０が閉じた状態にあるとき、この蓋８０の背面と対向する立上部７３ｓｔを更に備えている。
蓋８０が閉じて前記ボディインナー７０−２が上方へ移動していない下降位置（初期位置）にあるとき、ボディインナー７０−２の蓋８０の背面と対向するように、ボディアウター７０-１の背壁７３に立上部７３ｓｔが一体に設けてある。換言すると、図８に示す下降位置にボディインナー７０−２があるとき、蓋８０を開くには上方に突出している立上部７３ｓｔが障害となる。よって、ボディインナー７０−２を上方へスライドさせてから、蓋８０を開くことが必要な構造である。
【００５１】
このシガレットボックスＣＢ−３にも、収納している複数のシガレットＣＲをリフトアップさせる仕組みが設けてある。この仕組みを実現するための構成を以下で順に説明する。
まず、シガレットＣＲの束の全体がシート状の内包材７６で包込まれてインナーパックＰＣを形成している。ここでの内包材７６は従来において、シガレットを包んでいる材料と同様のものでよく、例えば紙と金属箔を積層したシート材などを好適に用いることができる。
ただし、このシガレットボックスＣＢ−３内に採用される内包材７６は、前壁７２、底壁７５、そして前記背壁７３それぞれの内面に沿っては切れ目の無い、連続形態で配置してある。より詳細には、内包材７６は、シガレット束の前後をそれぞれ覆う前後面７６−１、７６−２と、シガレット束の下端面を覆う一重の底面７６−３を有している。そして、その上部は、折り込みによって形成されて、シガレット束の上端面を開放可能に閉鎖する閉鎖面（内包材の端部を折り込んで閉じた面）７６−４となっている。
【００５２】
ちなみに、本シガレットボックスＣＢ−３は、開封した直後でシガレットＣＲが一杯に詰まった状態のときに、１本のシガレットＣＲを容易に引抜くための構成を設けたことを特徴としている。そのため図８はシガレットＣＲが詰まった状態での側面を示している。
よって、側面から見て、内包材７６は詰まった状態のシガレットＣＲの束の外側に沿ってＵ字状に配置される。そして、内包材７６の端部は上記のように折り込みできるように長めに設定してあり、シガレットボックスＣＢ−３の開封前ではシガレットＣＲの口付部（ここでは、フィルタＦＬ）を、内包材７６の端部を折り込んだフラップ（先端側フラップ部７６ａと終端側フラップ部７６ｂ）により包み込んだ状態として、前述した閉鎖面７６−４が形成されている。
【００５３】
なお、内包材７６の幅方向（図８で紙面に垂直方向）での両側部分はシガレットＣＲの束よりも、幅広く形成してあり、その余分な長さを折代として折り畳むことでシガレットＣＲの束を側部からも包込んでおり、結局、シガレットＣＲ全体を内包材７６で覆う状態が形成される。
また、図８、図９のシガレットボックスＣＢ−３は、例えば２０本のシガレットＣＲを収納している場合、前壁に沿った一列目がＲＷ−１に７本で、前記背壁に向って２列目ＲＷ−２に６本、そして３列目ＲＷ−３が７本というように、複数列に配置されている。
【００５４】
そして、底壁７５と面している内包材７６の一部が、背壁７３と底壁７５との境界線ＢＬ−２の近傍にて、前記底壁７５に固定されている。より具体的には、内包材７６の一部が境界線ＢＬ−２に沿って底壁７５上に線状に固定され、固定部ＦＰ−２となっている。この固定部ＦＰ−２は、箱ボディ７０の組立てに用いる接着剤などを用いて、内包材７６の一部が底壁７５に接着固定するものでよい。
このような固定部ＦＰ−２を設け、この固定部ＦＰ−２１と反対側にある前記前壁７２に沿って内包材７６を引き上げると、底壁７５と対面していた内包材７６の底面７６−３が、固定部ＦＰ−２を基点（中心）にして左上に向かって傾斜した状態になる。
【００５５】
上記のように、固定部ＦＰ−２は境界線ＢＬ−２に沿って線状（実線状、点線状のどちらでもよい）に配置されている。これにより、図９で示すようにシガレットＣＲを列毎に、段状にリフトアップさせる状態を形成できる。ここでは、固定部ＦＰ−２の線幅を無用に広く（例えば、シガレットＣＲの半径を超えるような幅に）設定するのは好ましくない。固定部ＦＰ−２の幅が広すぎると、傾斜する内包材７６の領域が減少して列毎に段状にリフトアップさせるのが困難になる。この点から、固定部ＦＰ−２の線幅は２〜６ｍｍ程度、或いは、収納するシガレットＣＲの直径の７５％以下とするのが好ましい。
【００５６】
そして、このシガレットボックスＣＢ−３では、箱ボディ７０の内側に、内包材７６よりも高い剛性を有して、箱ボディ７０を内側から補強しつつ、内包材７６の移動を案内するインナーフレーム９０が配備してある。このインナーフレーム９０については、先に図１０で説明しているが、ボディインナー７０−２と一体化されて前述した接続構造体とされてからボディアウター７０−１内に収納され、内包材７６を引き上げる引上げ機構としての役割を担う。
なお、従来におけるインナーフレームは補強用として、一般に前壁および側壁の内面を支持するような横断面形状（上面視で形状）がＵ字形状であったが、本シガレットボックスＣＢ−３では、このインナーフレームを有効に活用している。
【００５７】
図８〜図１０を参照すると、シガレットボックスＣＢ−３における引上げ機構には、箱ボディ７０のボディアウター７０−１の内面に沿って昇降方向（図で上下方向）にスライド可能とした、上記接続構造体が含まれている。この構造体は、内側に空間を擁し、この空間にインナーパックＰＣが配置される。すなわち、この構造体はインナーフレーム９０とボディインナー７０−２とが協働してインナーパックＰＣを胴回りに囲繞する保護構造でもある。上記接続構造体は、横断面形状がロ字形状のスライド部材となり、これを構成するインナーフレーム９０とボディインナー７０−２とが第２操作子（請求項１）として機能する。
【００５８】
そして、図８、図９に示すように、上記インナーフレーム９０と内包材７６の前面７６−１とを互い結合し、インナーフレーム９０の引き上げに伴い前面７６−１の引き上げをもたらす結合部として接着部９０ａが設けてある。すなわち、内包材７６の一部が前壁７２の内側で、接着部９０ａによりインナーフレーム９０に固定してある。よって、インナーフレーム９０（接続構造体）を上方へ引き上げるスライド動作が、内包材７６を引き上げる動作に連動している。
この引上げ機構は、インナーフレーム９０がスライドしたときに、シガレットボックスＣＢ−３の中心軸線（上下方向に延在する軸線）に対して固定部ＦＰ−２と反対側にある前記前壁に沿って内包材７６を引き上げる。これにより、前述したように底壁７５に接していた底面７６−３の内包材７６が固定部ＦＰ−２を基点に、傾斜して図９のようになるので、シガレット列ＲＷ−１、ＲＷ−２、ＲＷ−３毎に段状にリフトアップできる。
【００５９】
ところで、前述したように、蓋８０が閉じて移動前（下降位置）にあるボディインナー７０−２の蓋８０背面に対向して、ボディアウター７０−１の背壁７３の立上部７３ｓｔが存在している。この立上部７３ｓｔには、ボディインナー７０−２（接続構造体）にスライド力を付与すべく前記蓋８０の背面を露出させるアクセス開口７３ｄｅが設けてある。このアクセス開口７３ｄｅは、図８、図９では図示されないが、前述した図１０、後述する図１２、図１４にて示される。
【００６０】
シガレットボックスＣＢ−３では、ボディインナー７０−２が前述した下降位置にあって蓋８０が閉じているとき、前述したようにＵ字状に配置された内包材７６が撓み無い状態（図８）にある。ここで、ボディインナー７０−２を上方へスライド操作すると、これと一体のインナーフレーム９０も一緒にスライドするので、図９のように、これに伴って内包材７６が引っ張られる。すなわち、ボディインナー７０−２が引き上げて、蓋８０を開こうとする動作が、インナーフレーム９０を介して、内包材７６を引っ張り上げる動作と一体となっている。その結果、ボディインナー７０−２が上昇位置となり蓋８０が開いたときには底壁７５に接していた内包材７６が固定部ＦＰ−２を基点に傾斜しているので、シガレット列毎に段状にリフトアップできることになる。
【００６１】
更に、図１１〜図１４も参照して、シガレットボックスＣＢ−３における引き上げの様子をより詳細に説明する。図１１および図１２は、図８に示すシガレットボックスＣＢ−３に対応する様子を前面側および背面側から示した外観斜視図、図１３および図１４は、図９に示すシガレットボックスＣＢ−３に対応する様子を前面側および背面側から示した外観斜視図である。
これらの図１１〜図１４では、図８、図９では示していない左右側壁７４Ｒ、７４Ｌが図示されている。そして、図１３で示すように、インナーフレーム９０とボディインナー７０−２下側のボディロア８１とが互いに側壁（８４Ｒと９２Ｒ/８４Ｌと９２Ｌ、図１０参照）で接触しており、重なり部分Ｌａで接着剤にて接続されている。これにより、横断面形状がロ字形状となる構造部を含んだ接続構造体が形成されることも確認できる。ただし、インナーフレーム９０とボディインナー７０−２とを接続する部位は、ここで例示のように側部に限定する必要はなく、協働してインナーパックＰＣを胴回りに囲繞する形態が実現されていればよい。
【００６２】
更には、図８、図９では示していない、アクセス開口７３ｄｅが図１２、図１４で示されている、ここでのアクセス開口７３ｄｅは、立上部７３ｓｔに設けた半円状の切欠部として形成されている。アクセス開口７３ｄｅ内にはスライド可能なボディインナー７０−２の背面が露出するので、図１２で示す矢印のようにボディインナー７０−２（接続構造体）にスライド力を付与して、上方へ移動させることができる。なお、アクセス開口７３ｄｅはユーザがボディインナー７０−２に指（例えば、親指）を接触させてライド力を付与することができるように設けたものであるから、その形状は図で例示のように上端をまで達する切欠とする必要はない。すなわち、アクセス開口は、例えば円形、楕円形、長方形などの切欠部としてもよい。
ただし、上記のようにアクセス開口７３ｄｅを設けた形態は、より好適な形態例と理解すべきものである。立上部７３ｓｔに、アクセス開口７３ｄｅを設けない場合、蓋８０の両側に指を当てて、蓋８０を挟持して引き上げることでもボディインナー７０−２（接続構造体）を上方へ移動させることができる。
そして、このシガレットボックスＣＢ−３について示す第３の実施形態では、前述した結合部としての接着部９０ａと共に、第２操作子を兼ねるインナーフレーム９０およびボディインナー７０−２の往動が内包材７６の引き上げと連動させる連動手段を構成している。
【００６３】
以上のような構成を備えるシガレットボックスＣＢ−３では、図８から図９で示すように蓋８０を開く動作をすると、図１２のように、シガレットが列毎に段状にリフトアップされた状態となる。ただし、本シガレットボックスＣＢ−３では、前列ＲＷ−１が最も上昇するので、図１２では後側のＲＷ−２、ＲＷ−３は図示されない（図９参照）。
ところで、上記で例示したシガレットボックスＣＢ−３では、背壁７３に設ける立上部７３ｓｔは、蓋８０が閉じて前述したインナーフレーム９０とボディインナー７０−２とによる接続構造体が上方へ移動していない下降位置（初期位置）にあるときに、その立上高さは同じ高さとなっている。しかし、これは一例である。立上部７３ｓｔの立上高さは任意に定めることができ、これにより内包内の底面のリフトアップ量を決定できる。すなわち、立上部７３ｓｔの立上高さは、内包材の底面のリフトアップ量に応じて決定すればよい。
【００６４】
以上で説明した、第３の形態に係るシガレットＣＢ−３によると、ユーザは、ボディインナー７０−２を上に向けスライドさせて蓋８０を開けるという動作をすると、これに伴って上記接続構造体が移動してシガレットが列毎に段状にリフトアップされる。よって、一杯に詰まったシガレットを取り出すために追加で新たな動作をなす必要がない。また、一旦、上がった接続構造体は、蓋８０を閉じてボディインナー７０−２を強制的に下げ戻さなければ、その位置に留まる。よって、図１３で示すように、シガレットも列毎に段状にリフトアップされた状態が維持されるので、ゆっくりと１本のシガレットを取り出せばよい。
【００６５】
以下、更に、前述したシガレットボックスＣＢで採用するのが好ましい、内包材について図１５を参照して説明する。前述したように、インナーパック（ＰＣ）を包込む内包材（１６、４６、７６）は一重のシート状とされ、シガレットボックス内においてＵ字状で切れ目の無い形態で配置することにより、シガレットを列毎に段状にリフトアップさせることができる。
箱ボディ（１０、４０、７０）の底壁（１５、４５、７５）に固定される固定部では、内包材の一部に移動をスムーズとさせるための切込みを設けておくのがより好ましい。より詳細には、各内包材は底壁の接着剤などで線状に固定されるが、その固定部（ＦＰ−１又はＦＰ−２）を中心に動くので、切込みを設けておくことで、内包材が無理なく折れ曲がるようにして、底面を傾斜させた姿勢をスムーズに形成できる。
【００６６】
図１５は、上記切込みを設けた内包材用のブランク１００を示した図である。図１５では、前面に対応する領域にＦＲ、後面に対応する領域にＲＥ、そして底面に対応する領域にＢＡを付している。なお、前面ＦＲ中の破線ＬＮはシガレットボックスを最初に開いたときに、手前側の余分なフラップを引きちぎる為に設けてある切断用線である。
このブランク１００で、切込み１１０は、接着剤で固定される領域ＭＡよりも両外側に設けられる。この外側部分はインナーパックＰＣの側部を包み込むのに用いる部分（折代）である。図１５で例示のブランク１００は、前述した第１実施例から第３実施例に適用できる。
なお、前述した第１実施例の場合は、前壁と底壁との前側境界部の近傍で内包材が固定されるので、前面ＦＲと底面ＢＡとの間の両外側に切込み１１０ａを設けたブランク１００を採用するのが好ましい。そして、第２、第３実施例の場合には後壁と底壁との後側境界部の近傍で内包材が固定されるので、後面ＲＥと底面ＢＡとの間の両外側に切込み１１０ｂを設けたブランク１００を採用するのが好ましい。
【００６７】
なお、本発明は前述した実施形態に限定されるものではない。
前述した実施例では、前記箱ボディの前壁と底壁との境界線の近傍、または、前記背壁と底壁との境界線の近傍に、前記内包材を固定する固定部を、箱ボディの底壁に設定する場合を説明したが、これに限らない。境界線の近傍であれば、上記固定部は前壁側、或いは、背壁側に設定してもよい。
また、上記では、シガレットの列を３列としたがこれに限らない、これより少ない２列、或いは逆に４列以上としてもよい。
【符号の説明】
【００６８】
ＣＢ（ＣＢ−１、ＣＢ−２、ＣＢ−３）            シガレットボックス
ＣＲ                                            シガレット
ＰＣ                                            インナーパック
１０、４０、７０                                箱ボディ
１１、４１、７１                                ヒンジ
１２、４２、７２                                前壁
１３、４３、７３                                背壁
１４、４４、７４                                側壁
（１４Ｒ、１４Ｌ/４４Ｒ、４４Ｌ/７４Ｒ、７４Ｌ）
１５、４５、７５                                底壁
１６、４６、７６                                内包材
１６−１、４６−１、７６−１                    前面
１６−２、４６−２、７６−２                    後面
１６−３、４６−３、７６−３                    底面
１６−４、４６−４、７６−４                    閉鎖面
４７                                            アクセス開口
２０、５０、８０                                蓋
２１                                            接着部
３０、６０、９０                                インナーフレーム
６０ａ、９０ａ                                  接着部
３１                                            折り返しタッカ
３１ａ                                          上縁
６１                                            当接部
７０−１                                        ボディアウター
７０−２                                        ボディインナー
７３ｓｔ                                        立上部
７３ｄｅ                                        アクセス開口
８１                                            ボディロア
１００                                          内包材のブランク
ＢＬ−１、ＢＬ−２                              境界線
ＦＰ−１、ＦＰ−２                              固定部
【図１】
2013076863.tif 000003
【図２】
2013076863.tif 000004
【図３】
2013076863.tif 000005
【図４】
2013076863.tif 000006
【図５】
2013076863.tif 000007
【図６】
2013076863.tif 000008
【図７】
2013076863.tif 000009
【図８】
2013076863.tif 000010
【図９】
2013076863.tif 000011
【図１０】
2013076863.tif 000012
【図１１】
2013076863.tif 000013
【図１２】
2013076863.tif 000014
【図１３】
2013076863.tif 000015
【図１４】
2013076863.tif 000016
【図１５】
2013076863.tif 000017
【手続補正書】
【提出日】平成27年1月7日(2015.1.7)
【手続補正１】
【補正対象書類名】特許請求の範囲
【補正対象項目名】全文
【補正方法】変更
【補正の内容】
【特許請求の範囲】
【請求項１】
開口した上端、並びに前壁、背壁、一対の側壁および底壁を備える箱ボディと、該箱ボディにヒンジを介して接続され、前記箱ボディの前記上端を開閉する蓋と、内部にインナーフレームを介して収容され、内包材でシガレット束を包み込んでなるインナーパックとを有し、前記インナーフレームが前記前壁側に位置し且つ前記上端から突出しているシガレットボックスであって、
前記内包材は、前記シガレット束の前後をそれぞれ覆う前面及び後面と、シガレット束の下端面を覆う一重の底面と、その折り込みによって形成され、シガレット束の上端面を開放可能に閉鎖する閉鎖面とを有し、
前記蓋の開閉に伴って往復動する第１操作子を含み、該操作子の往動に伴い、前記後面を引き上げることで、前記シガレット束とともに前記底面を斜めにリフトアップさせる引き上げ機構とを具備し、
前記引き上げ機構は、
前記前壁と前記底壁との境界線の近傍にて、前記内包材の一部を前記箱ボディに固定する線状の固定部と、
前記操作子の往動と前記内包材の後面の引き上げとを連動させる連動手段と
を更に含む、
ことを特徴とするシガレットボックス。
【請求項２】
前記引上げ機構は、
前記前壁と前記底壁との境界線近傍に位置付けられた前記固定部と、
前記閉鎖面の一部を形成し且つ前記蓋の内面に結合された折り込みフラップを前記第１操作子として含み、
前記連動手段は、前記インナーパックの前記後面側にて前記箱ボディの前記上端から上方に突出して設けられ、前記蓋の開作動に伴い、前記折り込みフラップを介して前記内包材の後面を引き上げて、前記箱ボディから引き出される際に、その上縁にて前記内包材の前記後面を折り返す、折り返しタッカを含む、
ことを特徴とする請求項１に記載のシガレットボックス。
【請求項３】
前記折り返しタッカにおける前記上縁の高さ位置は、前記底面のリフトアップ量に応じて決定してある、ことを特徴とする請求項２に記載のシガレットボックス。
【請求項４】
前記折り返しタッカは、前記インナーフレームと協働してインナーパックの外周を囲む環形状のインナスリーブを形成する、ことを特徴とする請求項３に記載のシガレットボックス。
【請求項５】
開口した上端、並びに前壁、背壁、一対の側壁および底壁を備える箱ボディと、該箱ボディにヒンジを介して接続され、前記箱ボディの前記上端を開閉する蓋と、内部にインナーフレームを介して収容され、内包材でシガレット束を包み込んでなるインナーパックとを有し、前記インナーフレームが前記前壁側に位置し且つ前記上端から突出しているシガレットボックスであって、
前記内包材は、前記シガレット束の前後をそれぞれ覆う前面及び後面と、シガレット束の下端面を覆う一重の底面と、その折り込みによって形成され、シガレット束の上端面を開放可能に閉鎖する閉鎖面とを有し、
前記箱ボディに対して昇降方向に往復動可能な前記内包材とは別体の第２操作子を含み、該操作子の往動に伴い、前記前面を引き上げることで、前記シガレット束とともに前記底面を斜めにリフトアップさせる引き上げ機構とを具備し、
前記引き上げ機構は、
前記背壁と前記底壁との境界線の近傍にて、前記内包材の一部を前記箱ボディに固定する線状の固定部と、
前記操作子の往動と前記内包材の前面の引き上げとを連動させる連動手段と
を更に含む、
ことを特徴とするシガレットボックス。
【請求項６】
前記引上げ機構は、
前記背壁と前記底壁との境界線近傍に位置付けられた前記固定部と、
前記箱ボディに対して昇降方向にスライド可能な前記インナーフレームを前記第２操作子として含み、
前記連動手段は、
前記前壁に形成され、前記インナーフレームにスライド力を付与すべく前記インナーフレームを露出させるアクセス開口と、
前記インナーフレームと前記内包材の前記前面とを互い結合し、前記インナーフレームの押し上げに伴い前記前面の引き上げをもたらす結合部とを含む、
ことを特徴とする請求項５に記載のシガレットボックス。
【請求項７】
前記インナーフレームは前記前壁および前記一対の側壁の内面に沿って摺動する横断面Ｕ字形状に形成されており、
前記蓋が閉位置にある状態での、前記インナーフレームの押上げ動作は、前記前面の引き上げに加えて、前記蓋の開動作を更に連動させる、ことを特徴とする請求項６に記載のシガレットボックス。
【請求項８】
前記箱ボディは、
ボディインナーであって、前記インナーフレームと協働して前記インナーパックを胴回りに囲繞する一方、前記インナーパックの前記内包材に前記インナーフレームを介して結合され、前記上端及び開口した下端を有するボディロアと、前記上端に前記ヒンジを介して接続された前記蓋とを有する、ボディインナーと、
前記蓋を露出させた状態で前記ボディロアを収容し、前記前壁、前記背壁、前記一対の側壁及び前記底壁を有したボディアウターであって、前記底壁に前記内包材の前記底面が位置した下降位置と前記底壁から前記底面が離れた上昇位置との間にて前記ボディインナーの昇降を許容し、前記ボディインナーが前記下降位置にあり且つ前記蓋が閉じた状態にあるとき、前記蓋の背面と対向する立上部を更に有する、ボディアウターと
を含み、
前記引き上げ機構は、
前記背壁と前記底壁との境界線近傍に位置付けられた前記固定部と、
前記第２操作子及び前記連動手段を兼用する前記ボディインナーとを少なくとも含む、
ことを特徴とする請求項５に記載のシガレットボックス。
【請求項９】
前記引き上げ機構は、前記立上部に形成され、前記ボディインナーの昇降のために前記蓋の背面を露出させるアクセス開口を更に含む、
ことを特徴とする請求項８に記載のシガレットボックス。
【請求項１０】
前記立上部の立上高さは、前記底面のリフトアップ量に応じて決定してある、ことを特徴とする請求項８又は９に記載のシガレットボックス。
【手続補正２】
【補正対象書類名】明細書
【補正対象項目名】０００７
【補正方法】変更
【補正の内容】
【０００７】
上述の目的は第１の本発明のシガレットボックスによって達成され、このシガレットボックスは、開口した上端、並びに前壁、背壁、一対の側壁および底壁を備える箱ボディと、該箱ボディにヒンジを介して接続され、前記箱ボディの前記上端を開閉する蓋と、内部にインナーフレームを介して収容され、内包材でシガレット束を包み込んでなるインナーパックとを有し、前記インナーフレームが前記前壁側に位置し且つ前記上端から突出しているシガレットボックスであって、
前記内包材は、前記シガレット束の前後をそれぞれ覆う前面及び後面と、シガレット束の下端面を覆う一重の底面と、その折り込みによって形成され、シガレット束の上端面を開放可能に閉鎖する閉鎖面とを有し、
前記蓋の開閉に伴って往復動する第１操作子を含み、該操作子の往動に伴い、前記後面を引き上げることで、前記シガレット束とともに前記底面を斜めにリフトアップさせる引き上げ機構とを具備し、
前記引き上げ機構は、
前記前壁と前記底壁との境界線の近傍にて、前記内包材の一部を前記箱ボディに固定する線状の固定部と、
前記操作子の往動と前記内包材の後面の引き上げとを連動させる連動手段と
を更に含むことを特徴とする。
【手続補正３】
【補正対象書類名】明細書
【補正対象項目名】０００９
【補正方法】変更
【補正の内容】
【０００９】
そして、前記折り返しタッカにおける前記上縁の高さ位置は、前記底面のリフトアップ量に応じて決定することができる。
また、前記折り返しタッカは、前記インナーフレームと協働してインナーパックの外周を囲む環形状のインナスリーブを形成するのがより好ましい。
また、上述の目的は第２の本発明のシガレットボックスによって達成され、このシガレットボックスは、開口した上端、並びに前壁、背壁、一対の側壁および底壁を備える箱ボディと、該箱ボディにヒンジを介して接続され、前記箱ボディの前記上端を開閉する蓋と、内部にインナーフレームを介して収容され、内包材でシガレット束を包み込んでなるインナーパックとを有し、前記インナーフレームが前記前壁側に位置し且つ前記上端から突出しているシガレットボックスであって、
前記内包材は、前記シガレット束の前後をそれぞれ覆う前面及び後面と、シガレット束の下端面を覆う一重の底面と、その折り込みによって形成され、シガレット束の上端面を開放可能に閉鎖する閉鎖面とを有し、
前記箱ボディに対して昇降方向に往復動可能な前記内包材とは別体の第２操作子を含み、該操作子の往動に伴い、前記前面を引き上げることで、前記シガレット束とともに前記底面を斜めにリフトアップさせる引き上げ機構とを具備し、
前記引き上げ機構は、
前記背壁と前記底壁との境界線の近傍にて、前記内包材の一部を前記箱ボディに固定する線状の固定部と、
前記操作子の往動と前記内包材の前面の引き上げとを連動させる連動手段と
を更に含む、ことを特徴とする。
【手続補正４】
【補正対象書類名】明細書
【補正対象項目名】００３８
【補正方法】変更
【補正の内容】
【００３８】
更に、上記内包材４６を引き上げる引上げ機構について説明する。従来におけるインナーフレームが補強用として、一般に前壁および壁の内面を支持するような横断面形状（上面視で形状）がＵ字形状であったが、本シガレットボックスＣＢ−２では、このインナーフレームを流用する。
ここでの引上げ機構は、箱ボディ４０の内面に沿って昇降方向（図で上下方向）にスライド可能としたインナーフレーム６０を備える。このインナーフレーム６０は、第２操作子（請求項５）として機能する。
また、インナーフレーム６０と内包材４６の前面４６−１とを互い結合し、インナーフレーム６０の押し上げに伴い前面４６−１の引き上げをもたらす結合部として接着部６０ａが設けてある。すなわち、内包材４６の一部が前壁４２の内側で、接着部６０ａによりインナーフレーム６０に固定してある。よって、インナーフレーム６０を上方へ押上げるスライド動作が、内包材４６の引き上げる動作に連動している。
この引上げ機構は、インナーフレーム６０がスライドして押し上げられたときに、シガレットボックスＣＢ−２の中心軸線（上下方向に延在する軸線）に対して固定部ＦＰ−２と反対側にある前記前壁に沿って内包材４６を引き上げる。これにより、前述したように底壁４５に接していた底面４６−３の内包材４６が固定部ＦＰ−２を基点に、傾斜して図５のようになるので、シガレット列ＲＷ−１、ＲＷ−２、ＲＷ−３毎に段状にリフトアップできる。
【手続補正５】
【補正対象書類名】明細書
【補正対象項目名】００５７
【補正方法】変更
【補正の内容】
【００５７】
図８〜図１０を参照すると、シガレットボックスＣＢ−３における引上げ機構には、箱ボディ７０のボディアウター７０−１の内面に沿って昇降方向（図で上下方向）にスライド可能とした、上記接続構造体が含まれている。この構造体は、内側に空間を擁し、この空間にインナーパックＰＣが配置される。すなわち、この構造体はインナーフレーム９０とボディインナー７０−２とが協働してインナーパックＰＣを胴回りに囲繞する保護構造でもある。上記接続構造体は、横断面形状がロ字形状のスライド部材となり、これを構成するインナーフレーム９０とボディインナー７０−２とが第２操作子（請求項５）として機能する。
【国際調査報告】
2013076863.tif 000018
2013076863.tif 000019
2013076863.tif 000020
2013076863.tif 000021